(57)【特許請求の範囲】
【請求項１】
操縦席（１５）を内装したキャビン（１７）の後方に、脱穀部（１８）及びグレンタンク（３０）を配置したコンバインにおいて、該操縦席（１５）の後方に空調装置（５２）のコンデンサ（５２ａ）を配置して、該コンデンサ（５２ａ）からの排熱を後方へ送るように構成し、前記脱穀部（１８）を左右方向に軸心を有するロータより構成し、該ロータの上方にグレンタンク（３０）を配置し、該グレンタンク（３０）と脱穀部（１８）の間に間隙（５０）を形成し、該間隙（５０）を排風が通過するように構成し、前記キャビン（１７）の中央後部の後壁面（１７ａ）を後方へ膨出して膨出部（１７ｂ）を構成し、該膨出部（１７ｂ）の左右一側に空調装置（５２）を構成するコンデンサ（５２ａ）を配置し、他方に空調装置（５２）の空調装置本体（５２ｂ）を配置したことを特徴とするコンバイン。
【発明の詳細な説明】
【０００１】
【発明の属する技術分野】
本発明は、コンバインに関し、特に、操縦部を内装するキャビンに配置する空調装置の排気構成に関する。
【０００２】
【従来の技術】
従来から、走行・操向操作や刈取・脱穀作業等の操縦を行う操縦部に操縦席を配置し、該操縦部をキャビンにより覆ったコンバインは知られている。このコンバインにおける、キャビンの下方及び後方には脱穀部やグレンタンク等が配置されている。また、キャビン内の空調を行う空調装置が設けられたものがあり、該空調装置のコンデンサはキャビンの後部外側に配置されていた。
【０００３】
【発明が解決しようとする課題】
しかし、前記コンバインのキャビン外側においては、キャビンの空調装置のコンデンサからは排風が下方へ向かって排出されるように構成されていたので、コンデンサの下方及び後方がエンジンや脱穀部等に囲まれていたため、排風の流れが悪くなり、コンデンサの周囲に熱が溜まり易くなって、放熱が十分に行われず冷房効率を悪くし、エンジンの冷却効率も低下していた。
【０００４】
【課題を解決するための手段】
本発明の解決しようとする課題は以上の如くであり、次にこの課題を解決するための手段を説明する。
【０００５】
操縦席（１５）を内装したキャビン（１７）の後方に、脱穀部（１８）及びグレンタンク（３０）を配置したコンバインにおいて、該操縦席（１５）の後方に空調装置（５２）のコンデンサ（５２ａ）を配置して、該コンデンサ（５２ａ）からの排熱を後方へ送るように構成し、前記脱穀部（１８）を左右方向に軸心を有するロータより構成し、該ロータの上方にグレンタンク（３０）を配置し、該グレンタンク（３０）と脱穀部（１８）の間に間隙（５０）を形成し、該間隙（５０）を排風が通過するように構成し、前記キャビン（１７）の中央後部の後壁面（１７ａ）を後方へ膨出して膨出部（１７ｂ）を構成し、該膨出部（１７ｂ）の左右一側に空調装置（５２）を構成するコンデンサ（５２ａ）を配置し、他方に空調装置（５２）の空調装置本体（５２ｂ）を配置したものである。
【０００６】
【発明の実施の形態】
以下、本発明の実施例を図面に基づいて詳述する。
【０００７】
図１は汎用コンバイン全体の側面一部断面図、図２は同じく平面一部断面図、図３は脱穀部及び揺動選別装置の側面断面図、図４はキャビンを示す側面図、図５は同じく平面図、図６はキャビン後端部に取り付けられる空調装置のコンデンサから排出される排風の流れを示す側面図、図７はキャビンの別実施例を示す平面図、図８は同じく側面図である。
【０００８】
まず、本発明に係わる汎用コンバインの全体構成について、図１、図２により説明する。クローラー式走行装置１上に下部フレーム１３が搭載され、該下部フレーム１３上に揺動選別装置１９や脱穀部１８、及びエンジン４８等を収納するエンジンルーム４９等が載置固定され、該脱穀部１８上には、穀粒を均等分散させるためのレベリングディスク１０１及びガイド板１１６を内設するグレンタンク３０が配置され、該グレンタンク３０の一側部にはその内部に貯留された穀粒を排出する排出オーガ４０が配置されている。
【０００９】
また、前記下部フレーム１３より前方に刈取部８が突出されている。刈取部８はプラットホーム２内に横送りオーガ３を左右方向に収納し、回転駆動することによって穀稈を略左右中央に集めるようにしている。前記プラットホーム２前端下部には刈刃４が横設され、該刈刃４の前上方には掻込リール５が配設されている。前記プラットホーム２の両側の後部上に昇降リンク６の後部が枢支され、該昇降リンク６の前端に前記掻込リール５が回転自在に支持され、油圧モーター等によって掻込リール５が回転駆動される。また、前記プラットホーム２の両側前端には分草板７が配設されている。
【００１０】
前記刈取部８と脱穀部１８の間には搬送装置９が配置されており、該搬送装置９においては、フィーダハウス１０内にコンベア１１が収納され、前記プラットホーム２の後部左右中心よりやや進行方向に対して左側寄りで、前記横送りオーガ３のスクリュー羽根の送り終端位置に合わせてフィーダハウス１０の前端が連通されている。該フィーダハウス１０の後端は、脱穀入口１２に連通されており、該脱穀入口１２前方には左右水平方向に回転軸心を有する円筒状のビータ３４が配置され、穀稈を強制的に脱穀部１８へ送るようにしている。フィーダハウス１０の後部は下部フレーム１３に昇降回動自在に支持されている。
【００１１】
そして、フィーダハウス１０の下面と下部フレーム１３との間には図示せぬ油圧シリンダーを介装して、刈取部８を昇降可能としている。さらに、前記フィーダハウス１０とビータ３４の上方には運転席１５や操向ハンドル１６等を収納したキャビン１７を配置している。該キャビン１７は機体左右中央前部の上方位置に配置して、視界を良好として刈取作業を確認し易くしており、また、左右両側より乗り降りできるようにしている。そして、機体前部に配置されたキャビン１７の後方にはグレンタンク３０が配置され、該グレンタンク３０の下方には脱穀部１８が配置されている。
【００１２】
次に、脱穀部１８の構成について説明する。図１乃至図３に示すように、脱穀部１８は第一ロータ２１と第二ロータ２２と受網２３・２４等からなり、前記下部フレーム１３上部に収納されている。前記第一ロータ２１と第二ロータ２２は略同一形状に構成されており、該第一・第二ロータ２１・２２の外周は、図示せぬ扱歯を周囲に有するスクリュー羽根２１ａ・２２ａを設けたスクリュー型に構成されている。また、第一・第二ロータ２１・２２の回動軸２１ｄ・２２ｄの軸芯は、左右水平方向に向けられて、前後平行に配置されている。
【００１３】
前記第一ロータ２１と第二ロータ２２の下方には、それぞれ受網２３・２４が配置され、第一ロータ２１と第二ロータ２２の上方には、それぞれ前後上部カバー３５・３６が配置されて、該受網２３と前上部カバー３５との間で前ロータ室を構成するとともに、受網２４と後上部カバー３６との間で後ロータ室を構成している。前後上部カバー３５・３６は、第一・第二ロータ２１・２２の外周形状に略合わせて形成されており、該前上部カバー３５の後端部と後上部カバー３６の前端部とで、略Ｖ字形状を形成している。
【００１４】
また、前上部カバー３５及び後上部カバー３６の上方にはグレンタンク３０が配設されており、該グレンタンク３０は、側面視において前後傾斜面３０ａ・３０ｂを有する略三角形状に形成されている。該グレンタンク３０は、前後傾斜面３０ａ・３０ｂと、前記前後上部カバー３５・３６との間に間隙５０を設けて、脱穀部１８の上方に配置されている。
【００１５】
また、第一ロータ２１の受網２３の右端後部は、前低後高に傾斜させた緩やかな円弧形状に形成するとともに、第二ロータ２２の外周上部における接線方向に向かって延出させて連通部２３ａを形成している。該連通部２３ａは、第二ロータ外周の回転軌跡の前端部近傍まで延出されている。さらに、第二ロータ２２の受網２４の左端後部には排出口２４ａが開口している。
【００１６】
また、第一ロータ２１のスクリュー羽根２１ａは、第一ロータ２１の左端から、第一ロータ２１の右端部に配置される連通部２３ａの直左側までの間に形成されており、該連通部２３ａ前方の第一ロータ２１外周面には、第一ロータ２１の半径方向に突出する板状の送り羽根２１ｂ・２１ｂ・・が形成されている。また、第二ロータ２２のスクリュー羽根２２ａは、第二ロータ２２の右端部から、該第二ロータ２２の左端部に配置される排出口２４ａの直右側までの間に形成されており、排出口２４ａ前方の第二ロータ２２外周面には、第二ロータ２２の半径方向に突出する板状の送り羽根２２ｂ・２２ｂ・・が形成されている。そして、脱穀後の排藁（排稈）を送り羽根２２ｂ・２２ｂ・・で送って排出口２４ａから排出するようにしている。
【００１７】
このような構成において、フィーダハウス１０から脱穀入口１２へ刈り取った穀稈が送られると、第一ロータ２１の回転によって、刈取穀稈が該第一ロータ２１の左端部から右方へ搬送されながら脱粒される。そして、第一ロータ２１の右端部に至った穀稈は、前記連通部２３ａを通じて第二ロータ２２の脱穀空間に送られた後、第二ロータ２２の回転によって、該第二ロータ２２の右端部から左方へ搬送されながら脱粒される。さらに、第二ロータ２２の左端部に送られた穀稈は、排出口２４ａより落下されるのである。
【００１８】
該排出口２４ａ下部から後下方には、ガイドプレート６０が延出され、該ガイドプレート６０の後部上方には、強制的に排稈を後方に送り出す排稈ビータ６１が設けられている。該排稈ビータ６１は前記ロータ２１・２２の外径に比べ外径を小さくした形状とし、排稈ビータ６１の回転速度を第二ロータ２２の回転速度より速くして、排稈ビータ６１の周速度を、ロータ２１・２２の周速度に対して同等以上の速さとし、排稈を後方に送り出す性能を高めている。
【００１９】
前記排稈ビータ６１は、左端部が排出口２４ａの左端部と一致し、排稈ビータ６１の右端部は排出口２４ａ右端部よりさらに右側に延出し、排出口２４ａより排出された排稈を後方に左右幅広く搬送するようにしている。搬送された排稈は、排稈ビータ６１後方の吸引ファン６８に取り込まれ、機体後端部に左右に全幅に渡って横架されたチッパー式のスプレッダー６２に受け継いで、該スプレッダー６２の複数の鉈状の刃によって切断され、機体後端部より圃場に排出されるのである。
【００２０】
次に、前記キャビン１７について説明する。図４、図５に示すように、キャビン１７内においては走行・操向操作や刈取・脱穀作業等の操縦を行う操縦空間を広く確保するために、操縦席１５を該キャビン１７の後端部に配置している。キャビン１７の後壁面１７ａにおける、操縦席１５の途中部より上方の部分は左右中央部を後方へ膨出して膨出部１７ｂを形成しており、後膨出部１７ｂのキャビン１７内には、空間５１が形成されている。該空間５１は、操縦席１５の後方に位置し、該操縦席１５と同程度の左右幅を有している。
【００２１】
また、キャビン１７には、該キャビン１７内の空調を行う空調装置５２が設けられており、該空調装置５２はキャビン１７の後側面１７ａに取り付けられている。そして、この空調装置５２の室外熱交換機であるコンデンサ５２ａが、後壁面１７ａの膨出部１７ｂの左右一側方に配置されるとともに、空調装置本体５２ｂが、該膨出部１７ｂの左右他側方に配置されている。
【００２２】
このように、本コンバインのキャビン１７においては、後壁面１７ａを後方へ突出して操縦席１５の後方に空間５１を形成しているため、操縦席１５をキャビン１７内の後端部に配置していても、操縦席１５に座った状態のオペレータが後方に圧迫感を感じることがなく、また、背筋を伸ばしたりしてもオペレータの頭部が後壁面１７ａに干渉することがないので、快適に操作・操縦を行うことができ、長時間作業を行う場合の疲労を低減することができる。また、空間５１を形成することで、キャビン１７内部の限られたスペースの中で、居住空間を広く確保することができ、居住性を向上することができる。
【００２３】
また、キャビン１７の空調装置５２は、キャビン１７の外部に取り付けられているので、例えばキャビン１７内の天井面に取り付けた場合に比べて、上方のスペースを広くすることができるとともに、天井面をフラットな形状とすることができる。さらに、キャビン１７外部に取り付けられた空調装置５２のコンデンサ５２ａを、前記膨出部１７ｂの左右一側方に配置することで、該コンデンサ５２ａはキャビン１７の左右外側端部に位置することとなるため、該コンデンサ５２ａの冷却風の流れが良くなって、冷却効率を向上させることができる。
【００２４】
図６に示すように、キャビン１７の後方には前記グレンタンク３０が配設されており、空調装置５２のコンデンサ５２ａの後方にグレンタンク３０の前部傾斜面３０ａが位置している。また、前述の如く、グレンタンク３０の前後傾斜面３０ａ・３０ｂと前後上部カバー３５・３６との間には間隙５０が形成されている。
【００２５】
このような構成において、キャビン１７の後端部に配置された空調装置５２のコンデンサ５２ａは、冷却後の排風を後方へ排出するようにしている。後方へ排出されたコンデンサ５２ａの排風は、グレンタンク３０の前部傾斜面３０ａにぶつかり、該前部傾斜面３０ａに沿って斜め下方後方へ流れていく。下方後方へ流れる排風は、前部傾斜面３０ａ下端部と前上部カバー３５との間に形成される間隙５０、さらには後部傾斜面３０ｂ下端部と後上部カバー３６との間に形成される間隙５０を通過して後方へ流れ、機体後方へ排出される。
【００２６】
このように、コンデンサ５２ａの後方に配置されるグレンタンク３０と脱穀部１８との間に間隙５０を、コンデンサ５２ａからの排風が通過可能な通路として形成することにより、該排風を、間隙５０を通じてスムーズに機体後方へ逃がし、排出することができる。そして、排風がコンデンサ５２ａの周囲に溜まることなくスムーズに後方へ排出されることで、一旦コンデンサ５２ａから排出された排風が、再度コンデンサ５２ａに吸入されることがなくなり、コンデンサ５２ａの冷却効果を向上することができる。
【００２７】
また、コンデンサ５２ａからの排風が後方へ流れていく過程で、該コンデンサ５２ａの下方に配置されるエンジン４８や機体の各部を冷却しながら後方へ流れていくこととなるので、機体全体に対して冷却効果を得ることができ、特に、熱に弱い電装品等の部材が損傷することを防止することができる。さらに、排風がグレンタンク３０及び脱穀部１８の前方から後方へスムーズに流れることで、各機器の故障の原因となる塵や埃が機体各部に堆積することを防止することができる。
【００２８】
また、キャビン１７の後端部に膨出部１７ｂを形成しない場合においても、図７、図８に示す如く、空調装置５２を該キャビン１７の後端部に配設することができる。即ち、キャビン１７外部における、該キャビン１７の後側面１７ａに空調装置５２が配設されており、該空調装置５２のコンデンサ５２ａが、後壁面１７ａの左右一側に配置され、空調装置本体５２ｂが左右他側に配置されている。
【００２９】
この場合、コンデンサ５２の外側方はコンデンサカバー５３により覆われており、該コンデンサカバー５３には吸入口５３ａが形成されている。そして、コンデンサー５２ａは、該吸入口５３ａから冷却風を取り込んで、冷却後の排風を後方へ送出するように構成している。また、空調装置５２により空調した冷風等は、キャビン１７内における、両側面１７ｃ・１７ｃ上端部に設けられる吹出口５４・５４、及び天井面１７ｄ前端部に設けられる吹出口５５から吹き出すようにしている。
【００３０】
このように、キャビン１７の後端部に膨出部１７ｂを形成しない場合においても、空調装置５２を該キャビン１７外部の後端部に配設することで、例えばキャビン１７内の天井面に取り付けた場合に比べて、上方のスペースを広くすることができ、天井面をフラットな形状とすることができる。また、キャビン１７外部に取り付けられる空調装置５２のコンデンサ５２ａを、後側面１７ａの左右一側方に配置することで、該コンデンサ５２ａの外側方に開口する吸入口５３ａから効率良く冷却風を取り込むことができ、冷却効率を向上させることができる。
【００３１】
【発明の効果】
本発明は、以上のように構成したので、次のような効果を奏するものである。  操縦席（１５）を内装したキャビン（１７）の後方に、脱穀部（１８）及びグレンタンク（３０）を配置したコンバインにおいて、該操縦席（１５）の後方に空調装置（５２）のコンデンサ（５２ａ）を配置して、該コンデンサ（５２ａ）からの排熱を後方へ送るように構成したので、進行方向に沿って排熱が流れ、熱風がキャビン後部に溜まることがなく、冷却効率を向上できる。
【００３２】
また、、前記脱穀部（１８）を左右方向に軸心を有するロータより構成し、該ロータの上方にグレンタンク（３０）を配置し、該グレンタンク（３０）と脱穀部（１８）の間に間隙（５０）を形成し、該間隙（５０）を排風が通過するように構成したので、コンデンサからの排風を、この間隙を通じてスムーズに機体後方へ逃がし、排出することができる。
そして、排風がコンデンサの周囲に溜まることなくスムーズに後方へ排出されることで、一旦コンデンサから排出された排風が、再度コンデンサに吸入されることがなくなり、コンデンサの冷却効果を向上することができる。
また、コンデンサからの排風が後方へ流れていく過程で、該コンデンサの下方に配置されるエンジンや機体の各部を冷却しながら後方へ流れていくこととなるので、機体全体に対して冷却効果を得ることができ、特に、熱に弱い電装品等の部材が損傷することを防止することができる。
さらに、排風がグレンタンク及び脱穀部の前方から後方へスムーズに流れることで、各機器の故障の原因となる塵や埃が機体各部に堆積することを防止することができる。
【００３３】
また、前記キャビン（１７）の中央後部の後壁面（１７ａ）を後方へ膨出して膨出部（１７ｂ）を構成し、該膨出部（１７ｂ）の左右一側に空調装置（５２）を構成するコンデンサ（５２ａ）を配置し、他方に空調装置（５２）の空調装置本体（５２ｂ）を配置したので、操縦席をキャビン内の後端部に配置していても、操縦席に座った状態のオペレータが後方に圧迫感を感じることがなく、また、背筋を伸ばしたりしてもオペレータの頭部が後壁面に干渉することがないので、快適に操作・操縦を行うことができ、長時間作業を行う場合の疲労を低減することができる。
また、空間を形成することで、キャビン内部の限られたスペースの中で、居住空間を広く確保することができ、居住性を向上することができる。
【図面の簡単な説明】
【図１】  汎用コンバイン全体の側面一部断面図である。
【図２】  同じく平面一部断面図である。
【図３】  脱穀部及び揺動選別装置の側面断面図である。
【図４】  キャビンを示す側面図である。
【図５】  同じく平面図である。
【図６】  キャビン後端部に取り付けられる空調装置のコンデンサから排出される排風の流れを示す側面図である。
【図７】  キャビンの別実施例を示す平面図である。
【図８】  同じく側面図である。
【符号の説明】
１３  下部フレーム
１５  操縦席
１７  キャビン
１７ａ  後壁面
１７ｂ  膨出部
１８  脱穀部
３０  グレンタンク
３５  前上部カバー
３６  後上部カバー
５０  間隙
５１  空間
５２  空調装置
５２ａ  コンデンサ
５２ｂ  空調装置本体（５２ｂ）
【図１】
0004025471.tif 000002
【図２】
0004025471.tif 000003
【図３】
0004025471.tif 000004
【図４】
0004025471.tif 000005
【図５】
0004025471.tif 000006
【図６】
0004025471.tif 000007
【図７】
0004025471.tif 000008
【図８】
0004025471.tif 000009